【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
輝尽性蛍光体シートから放射線画像情報を読み取る放射線画像読取装置であって、
回転軸を回転中心として、円弧上に形成された凹凸形状のラック歯とピニオンギアにより回転移動する回転移動体と、
前記輝尽性蛍光体シートもしくは前記輝尽性蛍光体シートを保持したカセッテもしくは前記輝尽性蛍光体シートを保持したカセッテの一部を保持した状態で前記回転移動体に沿って移動可能な搬送手段とを有し、
前記回転移動体は、放射線画像読取装置内に停滞している前記輝尽性蛍光体シートもしくは前記輝尽性蛍光体シートを保持したカセッテもしくは前記輝尽性蛍光体シートを保持したカセッテの一部を撤去可能となる位置まで前記搬送手段とともに回転移動することを特徴とする放射線画像読取装置。
【請求項２】
前記回転移動体を駆動する搬送モータと、
開状態とすることで前記放射線画像読取装置内にアクセス可能となる開閉扉と、
前記開閉扉が開状態になると前記搬送モータへの電源供給を遮断するインターロックスイッチとを有することを特徴とする請求項１に記載の放射線画像読取装置。
【請求項３】
前記ピニオンギアを回転させる回転ノブを有し、
前記回転移動体は、前記回転ノブの回転により前記放射線画像読取装置内に停滞している前記輝尽性蛍光体シートもしくは前記輝尽性蛍光体シートを保持したカセッテもしくは前記輝尽性蛍光体シートを保持したカセッテの一部を撤去可能となる位置まで回転移動することを特徴とする請求項１または請求項２に記載の放射線画像読取装置。
【請求項４】
前記ピニオンギアを駆動する搬送モータと、
前記搬送モータのモータ軸に取り付けられた円筒部材とを有し、
前記回転ノブは、前記円筒部材と嵌合した状態で前記ピニオンギアを回転させることを特徴とする請求項３に記載の放射線画像読取装置。
【請求項５】
前記回転ノブを収納する収納場所と、
前記回転ノブが前記収納場所に収納されないと、前記開閉扉が閉状態にならないようにする収納確認部材とを有することを特徴とする請求項３または請求項４に記載の放射線画像読取装置。
【請求項６】
輝尽性蛍光体シートから放射線画像情報を読み取る放射線画像読取装置であって、
前記輝尽性蛍光体シートもしくは前記輝尽性蛍光体シートを保持したカセッテもしくは前記輝尽性蛍光体シートを保持したカセッテの一部を搬送する搬送手段を有し、
前記搬送手段が、ピニオンギアが円弧上に形成された凹凸形状のラック歯上を回転することで回転移動することを特徴とする放射線画像読取装置。
【請求項７】
前記搬送手段の回転移動が、搬送モータユニットがピニオンギアを駆動することで実施されることを特徴とする請求項６に記載の放射線画像読取装置。
【請求項８】
前記搬送手段の回転移動が、回転ノブを手動で回転させることで実施されることを可能にしたことを特徴とする請求項７に記載の放射線画像読取装置。
【請求項９】
前記回転ノブを手動で回転させる場合、前記搬送モータの軸上に設けられた円筒部材に前記回転ノブを嵌合させて、前記回転ノブを手動で回転させることを特徴とする請求項８に記載の放射線画像読取装置。
【手続補正２】
【補正対象書類名】明細書
【補正対象項目名】００１６
【補正方法】変更
【補正の内容】
【００１６】
請求項１に記載の発明は、輝尽性蛍光体シートから放射線画像情報を読み取る放射線画像読取装置であって、
回転軸を回転中心として、円弧上に形成された凹凸形状のラック歯とピニオンギアにより回転移動する回転移動体と、
前記輝尽性蛍光体シートもしくは前記輝尽性蛍光体シートを保持したカセッテもしくは前記輝尽性蛍光体シートを保持したカセッテの一部を保持した状態で前記回転移動体に沿って移動可能な搬送手段とを有し、
前記回転移動体は、放射線画像読取装置内に停滞している前記輝尽性蛍光体シートもしくは前記輝尽性蛍光体シートを保持したカセッテもしくは前記輝尽性蛍光体シートを保持したカセッテの一部を撤去可能となる位置まで前記搬送手段とともに回転移動することを特徴とする放射線画像読取装置である。
【手続補正３】
【補正対象書類名】明細書
【補正対象項目名】００１７
【補正方法】変更
【補正の内容】
【００１７】
請求項２に記載の発明は、前記回転移動体を駆動する搬送モータと、
開状態とすることで前記放射線画像読取装置内にアクセス可能となる開閉扉と、
前記開閉扉が開状態になると前記搬送モータへの電源供給を遮断するインターロックスイッチとを有することを特徴とする請求項１に記載の放射線画像読取装置である。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
請求項３に記載の発明は、前記ピニオンギアを回転させる回転ノブを有し、
前記回転移動体は、前記回転ノブの回転により前記放射線画像読取装置内に停滞している前記輝尽性蛍光体シートもしくは前記輝尽性蛍光体シートを保持したカセッテもしくは前記輝尽性蛍光体シートを保持したカセッテの一部を撤去可能となる位置まで回転移動することを特徴とする請求項１または請求項２に記載の放射線画像読取装置である。
【手続補正６】
【補正対象書類名】明細書
【補正対象項目名】００２０
【補正方法】変更
【補正の内容】
【００２０】
請求項４に記載の発明は、前記ピニオンギアを駆動する搬送モータと、
前記搬送モータのモータ軸に取り付けられた円筒部材とを有し、
前記回転ノブは、前記円筒部材と嵌合した状態で前記ピニオンギアを回転させることを特徴とする請求項３に記載の放射線画像読取装置である。
【手続補正７】
【補正対象書類名】明細書
【補正対象項目名】００２１
【補正方法】変更
【補正の内容】
【００２１】
請求項５に記載の発明は、前記回転ノブを収納する収納場所と、
前記回転ノブが前記収納場所に収納されないと、前記開閉扉が閉状態にならないようにする収納確認部材とを有することを特徴とする請求項３または請求項４に記載の放射線画像読取装置である。
【手続補正８】
【補正対象書類名】明細書
【補正対象項目名】００２２
【補正方法】変更
【補正の内容】
【００２２】
請求項６に記載の発明は、輝尽性蛍光体シートから放射線画像情報を読み取る放射線画像読取装置であって、
前記輝尽性蛍光体シートもしくは前記輝尽性蛍光体シートを保持したカセッテもしくは前記輝尽性蛍光体シートを保持したカセッテの一部を搬送する搬送手段を有し、
前記搬送手段が、ピニオンギアが円弧上に形成された凹凸形状のラック歯上を回転することで回転移動することを特徴とする放射線画像読取装置である。
【手続補正９】
【補正対象書類名】明細書
【補正対象項目名】００２３
【補正方法】変更
【補正の内容】
【００２３】
請求項７に記載の発明は、前記搬送手段の回転移動が、搬送モータユニットがピニオンギアを駆動することで実施されることを特徴とする請求項６に記載の放射線画像読取装置である。
【手続補正１０】
【補正対象書類名】明細書
【補正対象項目名】００２４
【補正方法】変更
【補正の内容】
【００２４】
請求項８に記載の発明は、前記搬送手段の回転移動が、回転ノブを手動で回転させることで実施されることを可能にしたことを特徴とする請求項７に記載の放射線画像読取装置である。
【手続補正１１】
【補正対象書類名】明細書
【補正対象項目名】００２５
【補正方法】変更
【補正の内容】
【００２５】
請求項９に記載の発明は、前記回転ノブを手動で回転させる場合、前記搬送モータの軸上に設けられた円筒部材に前記回転ノブを嵌合させて、前記回転ノブを手動で回転させることを特徴とする請求項８に記載の放射線画像読取装置である。
【手続補正１２】
【補正対象書類名】明細書
【補正対象項目名】００２７
【補正方法】変更
【補正の内容】
【００２７】
請求項１に記載の発明では、輝尽性蛍光体シートもしくは輝尽性蛍光体シートを保持したカセッテもしくは輝尽性蛍光体シートを保持したカセッテの一部がジャムを起こした際に、ジャムを生じた輝尽性蛍光体シートもしくは輝尽性蛍光体シートを保持したカセッテもしくは輝尽性蛍光体シートを保持したカセッテの一部をこの放射線画像読取装置から撤去できるようにしたので、使用中にジャムが発生した場合でも、サービスマンの到着を待つことなく、使用者は、ジャム解除処理を実施することができるので、診療行為を中断することなく継続することができる。また、十分な作業空間を確保できるので、輝尽性蛍光体シート面を痛めることなく安全にジャムを解除することが可能である。
【手続補正１３】
【補正対象書類名】明細書
【補正対象項目名】００２８
【補正方法】変更
【補正の内容】
【００２８】
請求項２に記載の発明では、開閉扉を開状態とすることで、搬送モータへの電源供給を遮断するので、ジャム解除処理を行う間、メカ動作が開始される危険性を回避でき、作業者が安全にジャム解除処理を行うことができる。
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
請求項３に記載の発明では、回転ノブを回転させることで、メカ駆動部への電源供給が無くとも、ジャム解除処理に必要なメカ機構の状態を、より作業しやすい状態へと手動で変更することができる。
【手続補正１６】
【補正対象書類名】明細書
【補正対象項目名】００３１
【補正方法】変更
【補正の内容】
【００３１】
請求項４に記載の発明では、モータ軸に取り付けられた円筒部材に回転ノブを嵌合させて、回転ノブを回転させる様に構成したので、搬送手段を傾斜させる手作業がやりやすくなる。
【手続補正１７】
【補正対象書類名】明細書
【補正対象項目名】００３２
【補正方法】変更
【補正の内容】
【００３２】
請求項５に記載の発明では、回転ノブが収納場所に収納されないと、開閉扉が閉状態にならないように構成したので、ジャム解除後、回転ノブをモータ軸の円筒部材に嵌合された状態で装置が動作することがなく、従って、モータの回転にトルク変動をきたしたり、回転ノブが動作中に装置の中で外れて、装置を壊したりする心配が無い。
【手続補正１８】
【補正対象書類名】明細書
【補正対象項目名】００３３
【補正方法】変更
【補正の内容】
【００３３】
請求項６に記載の発明では、輝尽性蛍光体シートもしくは輝尽性蛍光体シートを保持したカセッテもしくは輝尽性蛍光体シートを保持したカセッテの一部を搬送する搬送手段が、ピニオンギアが円弧上に形成された凹凸形状のラック歯上を回転するラック・ピニオン方式で回転移動する様に構成したので、搬送手段の回転角度がスリップ等により急激に変化することが無く、回転移動を確実、安全かつ安定的に実施することができる。
【手続補正１９】
【補正対象書類名】明細書
【補正対象項目名】００３４
【補正方法】変更
【補正の内容】
【００３４】
請求項７に記載の発明では、搬送手段の回転移動が、搬送モータユニットがピニオンギアを駆動することで実施されるので、輝尽性蛍光体シートを保持したカセッテもしくは輝尽性蛍光体シートを保持したカセッテの一部の搬送が、迅速かつ安定的に実施できる。
【手続補正２０】
【補正対象書類名】明細書
【補正対象項目名】００３５
【補正方法】変更
【補正の内容】
【００３５】
請求項８に記載の発明では、搬送手段の回転移動が、回転ノブを手動で回転させることで実施されることを可能にしたので、メカ駆動部への電源供給が無くとも、ジャム解除処理に必要なメカ機構の状態を、より作業しやすい状態へと手動で変更することができる。
【手続補正２１】
【補正対象書類名】明細書
【補正対象項目名】００３６
【補正方法】変更
【補正の内容】
【００３６】
請求項９に記載の発明では、回転ノブを手動で回転させる場合、搬送モータの軸上に設けられた円筒部材に回転ノブを嵌合させて、回転ノブを手動で回転させるように構成したので、手動による回転ノブの回転作業の作業性を改善することができる。
【手続補正２２】
【補正対象書類名】明細書
【補正対象項目名】０２２４
【補正方法】変更
【補正の内容】
【０２２４】
また、回転搬送手段が、搬送手段４０（回転移動体４１）の一部が回転移動するように構成しても良い。